(57)【要約】【課題】  宅内機器を適切に制御することによってユーザの生命および財産を確実に守るセキュリティシステムを実現する。【解決手段】    上記課題を解決するために、例えば、宅内にセキュリティ機器が複数設置された場合のホームサーバであって、外部装置と所定の警戒レベルに応じた外部装置の動作に関する情報とを対応付けた外部装置管理情報を記憶し、外部装置の少なくとも１つがセンサ機器を有する場合にセンサ機器の反応情報を入力し、センサ情報入力部からの情報から警戒レベルを特定し、該特定された警戒レベルと該外部装置管理情報とを用いて所定の外部装置及びその動作に関する情報を選定し、該所定の外部装置にその動作に関する情報を出力するよう制御するように構成する。  【選択図】図４
2007133625.tif 000002
【特許請求の範囲】
【請求項１】
少なくとも２台以上の外部装置と通信網を介して情報のやり取りを行う情報処理装置であって、
該外部装置と該所定の警戒レベルに応じた該外部装置の動作に関する情報とを対応付けた外部装置管理情報を記憶する記憶部と、
該外部装置の少なくとも１つがセンサ機器を有する場合に該センサ機器の反応情報を入力するセンサ情報入力部と、
該センサ情報入力部からの情報から警戒レベルを特定し、該特定された警戒レベルと該外部装置管理情報とを用いて所定の外部装置及びその動作に関する情報を選定し、該所定の外部装置にその動作に関する情報を出力するよう制御する制御部とを備えることを特徴とする情報処理装置。
【請求項２】
請求項１記載の情報処理装置において、
前記外部装置管理情報を前記通信網を介して取得する取得部を備えることを特徴とする情報処理装置。
【請求項３】
請求項１記載の情報処理装置において、
前記制御部は、該センサ検知部からの反応から警戒レベルを特定し、該特定された警戒レベルと該外部装置管理情報とを用いて所定の外部装置及び該警戒レベルに対応した所定の動作に関する情報を該外部装置管理情報から選定し、該選定された外部装置に対して該所定の動作に関する情報を出力するよう制御することを特徴とする情報処理装置。
【請求項４】
請求項１記載の情報処理装置において、
前記外部装置の一つがスイッチのオンおよびオフを切り替える手段を有する照明機器であって、他の外部装置の一つが録画の開始および停止を切り替える手段を有する監視カメラであった場合に、
前記制御部は、照明機器がスイッチオン動作したときに前記外部管理情報を用いて該監視カメラの録画動作を制御することを特徴とする情報処理装置。
【請求項５】
請求項１記載の情報処理装置において、
前記制御部は、所定時間の間に前記検知部よりセンサの反応情報を検知しない場合に警戒レベルを下げることを特徴とする情報処理装置。
【請求項６】
請求項１記載の情報処理装置において、
前記制御部は、前記外部装置の設置場所によって警戒レベルを変化させるよう制御することを特徴とする情報処理装置。
【請求項７】
請求項１記載の情報処理装置において、
前記制御部は、前記検知部によりセンサの反応情報を検知してから再びセンサの反応を検知するまでの時間に従って前記警戒レベルを変化させるよう制御することを特徴とする情報処理装置。
【請求項８】
請求項１記載の情報処理装置において、
前記制御部は、前記センサ機器のユーザ宅住戸からの距離に応じて前記警戒レベルを変化させるよう制御することを特徴とする情報処理装置。
【請求項９】
請求項５〜８記載の情報処理装置において、
前記警戒レベルの変化を通知する通知部を有し、
前記制御部は、前記警戒レベルを変化させるとともに該通知部によりその旨を通知するよう制御することを特徴とする情報処理装置。
【請求項１０】
請求項１記載の情報処理装置において、
前記センサ機器がドア開閉センサであった場合に、前記制御部は、前記警戒レベルを所定の時間変化させないことを特徴とする情報処理装置。
【請求項１１】
請求項１記載の情報処理装置において、
前記制御部は、前記所定の外部装置内のセンサ機器が反応した際に、該センサ機器を有する外部装置又は該センサ機器を有する外部装置の近傍にある外部装置によって録画を開始するよう指示することを特徴とする情報処理装置。
【請求項１２】
少なくとも２台以上の外部装置と情報の入出力を行う情報処理装置であって、
該外部装置のうち少なくとも１つはセンサを有しており、
該センサからの情報を入力するセンサ情報入力部と、
該外部装置と該所定の警戒レベルと該外部装置の動作に関する情報とを対応付けた管理情報を記憶する記憶部と、
該管理情報に基づいて、該センサ情報入力部からの情報より警戒レベルを特定し、その警戒レベルから所定の外部装置を選定し、その選定された外部装置に対して動作に関する情報を出力するよう制御する制御部とを備えることを特徴とする情報処理装置。
【請求項１３】
第１の情報処理装置と第２の情報処理装置とが通信網を介して接続し情報のやり取りを行う情報処理システムであって、
該第１の情報処理装置は、該第２の情報処理装置と、該所定の警戒レベルに応じた該第２の情報処理装置の動作に関する情報とを対応付けた管理情報を記憶する記憶部と、
該第２の情報処理装置がセンサ機器を有しており、該第２の情報処理装置から該センサ機器の反応情報を入力するセンサ情報入力部と、
該センサ情報入力部からの反応情報より警戒レベルを特定し、該特定された警戒レベルと該管理情報とを用いて該第２の情報処理装置に該第２の情報処理装置の動作に関する情報を出力するよう制御する制御部と、を備え、
該第２の情報処理装置は、該第１の情報処理装置から入力される該第２の情報処理装置の動作に関する情報に基づいて所定の動作を行うよう制御する制御部を備えることを特徴とする情報処理システム。
【発明の詳細な説明】
【技術分野】
【０００１】
本発明は、セキュリティに関する情報処理装置およびシステムに関する。
【背景技術】
【０００２】
従来、セキュリティシステムとしては所定の警戒エリアに入った侵入者をセンサで検知し、その検知に応じて警報装置を作動させるようにしたものや、センサの検知に応答して、催涙ガスや異臭ガスなどを噴霧して侵入者を退散させる犯罪抑止手段を設けたものが提案、または実現されている。
【０００３】
しかし、このような構成のセキュリティシステムでは侵入者でなく、例えば防犯装置の設置者や建物の関係者（以下、単に関係者等と述べる）が誤って前記警戒エリアに侵入した場合にも犯罪抑止手段が作動してしまい、誤って警報装置を作動させてしまう可能性がある、または関係者等を傷つけてしまう可能性があるという問題がある。
【０００４】
そのため、近年、センサ部の検知に基づいて一定時間警告を行い、所定時間内に再びセンサ部による検知があったときに犯罪抑止動作を行う方法が開示されている（例えば、特許文献１）。
【０００５】
特許文献１における犯罪抑止機能付防犯装置は、センサ部と警告部と犯罪抑止部とを備え、センサ部が所定の警戒エリア内で人体を検知し、警告部が、センサ部による検知に基づいて音または光を発生して一定時間にわたる警告を行い、犯罪抑止部は前記警告の開始後または終了後の所定時間内にセンサ部による検知があったとき大音量の音、大光量の光、または人体に直接作用する媒体を発生して犯罪抑止動作を行うことで、誤って関係者等を傷つけることを防ぎつつ犯罪抑止動作を行うことが可能である。
【０００６】
【特許文献１】特開２００３−５１０７８（第１図）
【発明の開示】
【発明が解決しようとする課題】
【０００７】
特許文献１に示される方法では、あくまで装置単体での警告動作および犯罪抑止動作といった動作レベル制御であるため、侵入者が所定の時間、所定の装置のセンサに検知し続けない限り犯罪抑止動作が行われない。例えば、侵入者が複数の装置の警戒エリアをまたがって移動するような状況における犯罪抑止動作が考慮されていない。そのため実際は侵入者による脅威が迫っているにも関わらず侵入者の移動経路によっては適切な犯罪抑止動作がとられない可能性がある。
【０００８】
一方、犯罪抑止効果を高めるため、特許文献１に示される方法による防犯装置を複数（例えば、装置Ａ、装置Ｂ、装置Ｃ）設置したとしても装置Ａのセンサが検知した情報を装置Ｂや装置Ｃと共有することができないため、期待する犯罪抑止効果が得られない。
【０００９】
そこで、上記課題を鑑み、本発明の目的は、高度なセキュリティを実現するための情報処理装置およびそれらを利用したシステムを提供することにある。
【課題を解決するための手段】
【００１０】
上記課題を解決するために本発明は、例えば、宅内にセキュリティ機器が複数設置された場合を想定すると、それらを統括するホームサーバがあり、そのホームサーバで一括してそのセキュリティ機器を管理、制御し、さらに、それらを連動させた適切なセキュリティ制御を行うように構成する。  
より具体的には、例えば、ホームサーバにおいて、各セキュリティ機器の連動性に関する情報を記憶・管理しておき、その情報を用いて各セキュリティ機器の最適動作を決定する。さらに、各セキュリティ機器の位置や現在の警戒レベルなどの情報と組み合わせてそセキュリティ機器の動作を決定させることでより高度なセキュリティを実現することができ、ユーザの生命や財産を確実に守る堅牢なセキュリティシステムを提供できる。
【発明の効果】
【００１１】
本発明によれば、高度なセキュリティを実現するための情報処理装置およびそれらを利用したシステムを提供することにある。
【発明を実施するための最良の形態】
【００１２】
本発明の実施形態について図面を参照して説明する。
【００１３】
図１は、実施形態のホームサーバおよびシステムを適用しうるセキュリティシステムをユーザ宅１００に適応する場合の機器設置例を示す図である。
【００１４】
図１において、ユーザ宅１００は大きく住戸１０１と敷地１０２からなる。敷地１０２には門扉１０３および、センサ、ライト付監視カメラ６１０および６１１が設置されている。また、住戸１０１は更に玄関１０４とリビング１０６からなり、玄関１０４にはドア１０５が、リビング１０６には窓１０７が設置されている。玄関１０４のドア１０５にはドア開閉センサ６１４が設置されている。リビング１０６には照明６０９および人感センサ６１２が設置されており、リビング１０６の窓１０７には窓開閉センサ６１３が設置されている。
【００１５】
ユーザ宅１００の構成は実施形態のホームサーバおよびシステムを適用しうるセキュリティシステムを説明するための一例であり、実際のユーザ宅は図１のユーザ宅１００と異なる間取りでもよい。また、ユーザ宅１００に設置される機器についても一例であり、実際のユーザ宅には図１と異なる機器があってもよい。
【００１６】
照明６０９は、なんらかの手段（例えば、電圧供給のオンおよびオフ等）により外部からスイッチのオンおよびオフを切り替え可能な構成とする。
【００１７】
センサ、ライト付監視カメラ６１０および６１１は、監視範囲内の侵入者をセンサで感知可能であり、センサの反応をなんらかの手段（例えば、無電圧接点出力等）で外部に伝えることが可能な構成とし、ライトのオンおよびオフをなんらかの手段（例えば、電圧供給のオンおよびオフ等）を用いて外部から制御可能な構成とし、監視カメラが撮影した画像または映像をＲＯＭ等の不揮発な記憶領域に記憶可能な構成とし、また、監視カメラの撮影した画像または映像の記憶開始／終了をなんらかの手段（例えば、ＲＳ４８５のシリアルＩ／Ｆを用いた通信等）を用いて外部から制御可能な構成とし、監視カメラが記憶した画像または映像を外部から取得可能な構成とする。
【００１８】
人感センサ６１２は、監視範囲内の侵入者をセンサで感知可能であり、センサの反応をなんらかの手段（例えば、無電圧接点出力等）で外部に伝えることが可能な構成とする。
【００１９】
窓開閉センサ６１３は、設置した窓の開閉を感知可能であり、センサの反応をなんらかの手段（例えば、無電圧接点出力等）で外部に伝えることが可能な構成とする。
【００２０】
ドア開閉センサ６１４は、玄関１０４のドア１０５の鍵の感知可能であり、センサの反応をなんらかの手段（例えば、無電圧接点出力等）で外部に伝えることが可能な構成とする。
【００２１】
図２は実施形態のホームサーバおよびシステムを適用しうるセキュリティシステムのネットワーク構成例である。また、図３は図２のネットワーク構成例におけるホームサーバのハードウェア構成例である。
【００２２】
ユーザ宅１００は宅内のルータ３０を介してインターネット２０と接続している。また、インターネット２０にはサービスセンタ１０およびユーザの携帯電話７０が接続している。ユーザ宅１００内のホームサーバ６０および操作端末５０はルータ３０を介してインターネット２０と接続可能な宅内ネットワーク４０と接続している。
【００２３】
サービスセンタ１０は一般的なＰＣサーバからなり、ホームサーバ６０の依頼に応じてユーザの携帯電話７０にＥ−ｍａｉｌを送信することができる。
【００２４】
ホームサーバ６０は、インターネット２０や宅内ネットワーク４０を介してサービスセンタ１０と接続し、情報をやり取りすることができる。また操作端末５０からの接続を受け入れ、情報をやり取りすることができる。
【００２５】
操作端末５０は、宅内ネットワーク４０を介してホームサーバ６０と接続し、情報をやり取りする入出力機能およびユーザに対して情報の表示機能をもつ。操作端末５０は、通常のＰＣの構成を持つ専用機器、もしくはインターホンのような住設機器が１機能としてホームサーバ６０と情報のやり取りを可能とする機器、もしくは通常のＰＣ等として存在可能であり、ホームサーバ６０に対する入出力機能およびユーザへの情報の表示機能を持てばその構成は本実施例では限定しない。また、図２では操作端末５０は宅内ネットワーク４０を介してホームサーバ６０と接続しているが、後述する図３におけるホームサーバ６０の入出力Ｉ／Ｆ群６０８と専用線群６１５を介して接続する構成でも良いし、後述する図３の構成には図示していないが、ホームサーバ６０の入力装置付外部モニタとして接続されていても良い。
【００２６】
携帯電話７０は、現在通常に存在する携帯電話の構成を持ち、ＷｅｂブラウジングやＥ−ｍａｉｌの送受信などが可能である。
【００２７】
図２は実施形態のホームサーバおよびシステムを適用しうるセキュリティシステムのネットワーク構成の一例であり、図２に示される機器のうち不要なものは図２の構成から取り除いても良い。例えば、ホームサーバ６０がＥ−ｍａｉｌの送信機能を有する場合にはサービスセンタ１０は図２の構成から取り除いても良い。
【００２８】
図３は図２の構成におけるホームサーバ６０のハードウェア構成図である。
【００２９】
ホームサーバ６０は、ＥＰＲＯＭ６０１と、ＣＰＵ６０２と、メインメモリ６０３と、バス６０４と、周辺制御装置６０５と、不揮発性記憶装置６０６と、ＬＡＮインタフェース（以下、「ＬＡＮＩ／Ｆ」）６０７と、入出力インタフェース群（以下入出力Ｉ／Ｆ群）６０８とを有する。
【００３０】
ＬＡＮＩ／Ｆ６０７は、宅内ネットワーク４０を介して行う情報のやり取りを制御する。ＥＰＲＯＭ６０１、ＣＰＵ６０２、メインメモリ６０３、周辺制御装置６０５はバス６０４を介して相互に接続されている。不揮発性記憶装置６０５、ＬＡＮＩ／Ｆ６０７、入出力Ｉ／Ｆ群６０８は、それぞれ、周辺制御装置６０５に接続される。なお、不揮発性記憶装置６０５は、磁気ディスク装置、フラッシュＲＯＭ等から構成される。
【００３１】
図１に示した、セキュリティシステムを構成する各機器（照明６０９、センサ、ライト付監視カメラ６１０および６１１、人感センサ６１２、窓開閉センサ６１３、ドア開閉センサ６１４）は入出力Ｉ／Ｆ群６０８と専用線６１５を介して接続している。
【００３２】
ＥＰＲＯＭ６０１にはブートプログラムが保存されている。不揮発性記憶装置６０５には、各種プログラムが保存されている。そして、ホームサーバ６０が起動するとこのブートプログラムに応じてＣＰＵ６０２が動作する。ＣＰＵ６０２は、ブートプログラムにより、不揮発性記憶装置６０５から、上記各種プログラムをメインメモリ６０３へロードする。ＣＰＵ６０２は、メインメモリ６０３にロードされた各種プログラムを実行することにより、周辺制御装置６０５を介して、ＬＡＮＩ／Ｆ６０７、入出力Ｉ／Ｆ群６０８への信号の送受信を行い、サービスセンタ１０や操作端末５０等との通信、および照明６０９やセンサ、ライト付監視カメラ６１０および６１１や人感センサ６１２や窓開閉センサ６１３やドア開閉センサ６１４の制御を行う。
【００３３】
入出力Ｉ／Ｆ群６０８は専用線群６１５を介して照明６０９やセンサ、ライト付監視カメラ６１０および６１１や人感センサ６１２や窓開閉センサ６１３やドア開閉センサ６１４と接続している。入出力Ｉ／Ｆ群６０８の各入出力Ｉ／Ｆおよび専用線群６１５の各専用線は同一のものではなく、各接続機器に適したＩ／Ｆ（例えば無電圧接点入力Ｉ／Ｆ、無電圧接点出力Ｉ／Ｆ、ＲＳ４８５等）および線（リード線、ＲＳ４８５ケーブル等）を用いる。また、それぞれの入出力Ｉ／Ｆおよび専用線は接続する機器に応じていくつかの入出力Ｉ／Ｆおよび線からなってもよい（例えば、入出力Ｉ／Ｆとして無電圧接点入力Ｉ／Ｆおよび無電圧接点出力Ｉ／Ｆ、専用線として２組のリード線等）。
【００３４】
図３は実施形態のホームサーバおよびシステムを適用しうるセキュリティシステムにおけるホームサーバ６０のハードウェア構成の一例であり、図３に示される装置のうち不要なものは図３の構成から取り除いても良い。
【００３５】
次に、実施形態のホームサーバおよびシステムの動作について説明する。
【００３６】
まず、ホームサーバ６０が宅内の機器を管理および制御するために保持している情報について説明する。ホームサーバ６０は宅内に接続された機器の機器情報テーブル２０００を保持している。機器情報テーブル２０００は機器ＩＤ２００１、機器種別２００２、設置場所２００３および機器個別情報テーブル情報２００４からなる（図８）。
【００３７】
機器ＩＤ２００１は、ホームサーバ６０が自身の管理する宅内の機器を管理するために、ホームサーバ６０が一意に決定するＩＤである。
【００３８】
機器種別２００２は、ホームサーバ６０が機器の種類を区別するために用いる情報である。機器種別２００２により、ホームサーバ６０は該当機器がどのような情報や機能を保持するかを知ることができる。本実施例では機器名を用いているが、機器種別２００２はホームサーバ６０が該当機器の保持する情報や機能を一意に判断することができる情報である必要がある。該当機器の保持する情報や機能を一意に判断するためには、例えば機器の型番とバージョン情報を機器種別２００２とし、それらの情報を元にサービスセンタ１０に問い合わせる等の方法がある。本実施例のホームサーバ６０は機器名から該当機器の保持する情報や機能を一意に判断できるものとする。
【００３９】
設置場所２００３は、ホームサーバ６０が機器の設置場所を知るために用いる情報である。機器の設置場所を正確に記述するためにはホームサーバ６０がユーザ宅１００の間取り等の情報を取得している必要があるが、本実施例ではあらかじめホームサーバ６０がユーザ宅１００の間取り等の情報を保持しているものとする。
【００４０】
接続Ｉ／Ｆ２００４は、ホームサーバ６０がどこのハードウェアＩ／Ｆにどの機器が接続されているのかを判断するために用いる情報である。もし、ひとつの機器がいくつかの入出力Ｉ／Ｆを用いる場合（例えば、１つの機器が無電圧接点入力および無電圧接点出力を用いるような場合）には本実施例の接続Ｉ／Ｆ２００４では記載しきれないので、後述する機器個別情報テーブル情報２００５と同様に、該当機器の用いる入出力Ｉ／Ｆの一覧を記述したテーブルの存在する場所を示す情報を記載する。ホームサーバ６０は機器種別２００２から、該当機器がどのような入出力Ｉ／Ｆを用いるのかを知ることができる。
【００４１】
機器個別情報テーブル情報２００５は、上記機器種別２００２ごとに異なる、機器個別情報テーブルの存在する場所を示す情報である。例えば、ホームサーバ６０の不揮発記憶装置内にあらかじめ機器種別情報テーブルのファイル群を保持するフォルダを決めておき、機器個別情報テーブル情報２００５には該当フォルダにおける該当機器個別情報テーブルのファイル名を記述することで機器個別情報テーブルを特定可能とする。
【００４２】
機器個別情報テーブル情報２００５にて表現される機器個別情報テーブルは機器種別２００２ごとに異なるテーブル構成を持つ（図９、図１０、図１１、図１２、図１３）。ホームサーバ６０は機器種別２００２に記載の情報より、該当機器の機器個別情報テーブルの構成を知ることができる。
【００４３】
図９は本実施例における照明６０９に対応する個別情報テーブルである、個別情報テーブル（照明）２１００である。個別情報テーブル（照明）２１００は接続状態２１０１とスイッチ状態２１０２からなる。接続状態２１０１はホームサーバ６０が該当する照明に対してスイッチをＯＮにする、ＯＦＦにする等の命令をするような通信を行うことが可能な状態かどうかを示す。接続状態２１０１が接続の時、ホームサーバ６０は個別情報テーブル（照明）２１００に対応する照明に対して、機器情報テーブル２０００の機器種別２００２に対応した所望の通信を行うことができる。スイッチ状態２１０２は該当照明が現在電源ＯＮまたはＯＦＦである（つまり点灯または消灯している）ことを示す。
【００４４】
図１０は本実施例におけるセンサ、ライト付監視カメラ６１０および６１１に対応する個別情報テーブルである、個別情報テーブル（センサ、ライト付監視カメラ）２２００である。個別情報テーブル（センサ、ライト付監視カメラ）２２００は接続状態２２０１およびライトスイッチ状態２２０２およびカメラ状態２２０３および最終センサ反応日時２２０４からなる。接続状態２２０１はホームサーバ６０が該当するセンサ、ライト付監視カメラに対してライトをＯＮにする、ＯＦＦにする、監視カメラの録画を開始する、停止する等の命令をするような通信を行うことが可能な状態かどうかを示す。ライトスイッチ状態２２０２は該当センサ、ライト付監視カメラのライトが現在電源ＯＮまたはＯＦＦであることを示す。カメラ状態２２０３は該当センサ、ライト付監視カメラの監視カメラが現在録画中であるか、録画開始待ち（スタンバイ）状態であるかを示す値である。最終センサ反応日時２２０４は該当センサ、ライト付監視カメラのセンサが最後に反応した日時を保持している。
【００４５】
図１１は本実施例における人感センサ６１２に対応する個別情報テーブルである、個別情報テーブル（人感センサ）２３００である。個別情報テーブル（人感センサ）２３００は最終センサ反応日時２３０１からなる。最終センサ反応日時２３０１は、人感センサが最後に反応した日時を保持している。
【００４６】
図１２は本実施例における窓開閉センサ６１３に対応する個別情報テーブルである、個別情報テーブル（窓開閉センサ）２４００である。個別情報テーブル（窓開閉センサ）２４００は最終センサ反応日時２４０１からなる。最終センサ反応日時２４０１は、窓開閉センサが最後に反応した日時を保持している。
【００４７】
図１３は本実施例におけるドア開閉センサ６１４に対応する個別情報テーブルである、個別情報テーブル（ドア開閉センサ）２５００である。個別情報テーブル（ドア開閉センサ）２５００は最終センサ反応日時２５０１からなる。最終センサ反応日時２５０１は、ドア開閉センサが最後に反応した日時を保持している。
【００４８】
次に、機器情報テーブル２０００を用いて実際にホームサーバ６０が宅内の機器を管理、制御する動作について説明する。
【００４９】
まず、ユーザ宅１００内のいずれかのセンサが反応したとする。センサの反応はホームサーバ６０の入出力Ｉ／Ｆ群６０８のいずれかに信号として送られ、ホームサーバ６０は信号を検知することができる。ホームサーバ６０は信号を検知すると該当入出力Ｉ／Ｆに接続されている機器がなんであるかを、機器情報テーブル２０００を参照することで確認することができる。例えば、センサ、ライト付監視カメラ６０９のセンサが反応したと確認できた場合に、監視カメラの映像の録画を開始するためには、ホームサーバ６０は再び機器情報テーブル２０００を参照し、センサ、ライト付監視カメラ６０９の監視カメラに録画開始の命令を送る入出力Ｉ／Ｆの場所を確認する。そして、該当入出力Ｉ／Ｆに録画開始の命令を送信することによって該当センサ、ライト付監視カメラの録画を開始できる。
【００５０】
以上のようにして、ホームサーバ６０は機器情報テーブル２０００を元に、宅内の機器を管理、制御することが可能となる。
【００５１】
また、ホームサーバ６０はサービスセンタ１０を介して、ユーザの携帯電話に対してＥ−ｍａｉｌを送信することが可能な構成とする。サービスセンタ１０はホームサーバ６０とユーザの携帯電話のＥ−ｍａｉｌアドレスを結びつける登録携帯電話アドレステーブル２６００を保持している（図１４）。登録携帯電話アドレステーブルはホームサーバＩＤ２６０１とＥ−ｍａｉｌアドレス２６０２からなる。ホームサーバＩＤ２６０１はホームサーバ６０の出荷時に一意に決まるように設定する値で、ホームサーバ６０がサービスセンタ１０に接続する際に、サービスセンタ１０に対して送信し、ホームサーバ６０を識別するためのＩＤである。Ｅ−ｍａｉｌアドレス２６０２は該当ホームサーバＩＤのホームサーバ６０に対して登録されたユーザの携帯電話Ｅ−ｍａｉｌアドレスである。一台のホームサーバに対して複数のＥ−ｍａｉｌアドレスが登録されていてもかまわない。ユーザは自身の所持するホームサーバ６０に対応する携帯電話のＥ−ｍａｉｌアドレスをあらかじめサービスセンタ１０に登録しておくことで、ホームサーバからの連絡を外出先でＥ−ｍａｉｌにより受け取ることが可能となる。
【００５２】
次に、本実施例におけるセキュリティシステムの全体の動作について説明する。
【００５３】
図７は実施例のセキュリティシステムの状態遷移図である。通常、ユーザが在宅している際には状態は通常モード（１０００）である。通常モードにおいては、センサ類の反応等に関してホームサーバ６０は特に動作をしない。
【００５４】
ユーザが外出する際には、ホームサーバ６０に対して外出警戒設定を行う（Ｓ１００１）。外出警戒設定は図２における操作端末５０から行う。ホームサーバ６０に対して外出警戒設定がされるとホームサーバ６０は警戒モード（１１００）になり、最初は警戒モードレベル０（１１０１）となる。
【００５５】
警戒モードレベル０においてはまだユーザ宅に脅威はないため、ホームサーバ６０はただセンサが反応するのを待ち受けている状態である。警戒モードレベル０において、敷地のセンサ（すなわちセンサ、ライト付監視カメラ６０９または６１０のセンサ）が反応すると（Ｓ１００２）、ホームサーバ６０は警戒を強めるため警戒モードをレベル１（Ｓ１１０２）に引き上げる。
【００５６】
警戒モードレベル１においては、なにかしらの反応がセンサにはあったもののそれが脅威の対象となるかはまだはっきりしないため、ひとまずセンサが反応した該当機器単体で威嚇を行う程度の防衛を行う。すなわち、センサが反応したセンサ、ライト付監視カメラのライトを点灯し、監視カメラの録画を開始する。また、センサが反応した時刻を機器情報テーブルの該当機器の最終センサ反応時刻に記録する。
【００５７】
警戒モードレベル１において、システムで決めた一定時間内にセンサが反応しなかった場合（Ｓ１００７）、脅威は去ったとして警戒モードをレベル０に戻す。この時、点灯していた該当センサ、ライト付監視カメラのライトを消灯し、監視カメラの録画を停止する。
【００５８】
警戒モードレベル１において、システムで決めた一定時間内に再び敷地のセンサが反応した場合（Ｓ１００３）は侵入者が敷地内を歩き回っている可能性が高まるため、警戒モードをレベル２（１１０３）に引き上げる。
【００５９】
警戒モードレベル２においては、侵入者が宅内への侵入をあきらめるような動作を行う。すなわち、敷地の全てのセンサ、ライト付監視カメラのライトを点灯し、監視カメラの録画を開始する。また、宅内に人がいるように思わせるため、リビングに設置した照明６０９も点灯する。ユーザに警戒モードがレベル２まで上がったことを知らせるため、サービスセンタ１０を経由して登録したＥ−ｍａｉｌアドレスに対し、「件名：セキュリティ報告、本文：××月××日××時××分警戒モードがレベル２になりました。」といった内容のＥ−ｍａｉｌを送信する。
【００６０】
警戒モードレベル２において、一定時間内センサの反応がなかった場合（Ｓ１００４）には脅威が去ったとして警戒モードをレベル０に戻す。この際、点灯していたライトは消灯し、監視カメラの録画を停止する。また、ユーザに警戒モードがレベル０に戻ったことをＥ−ｍａｉｌで伝える。
【００６１】
警戒モードレベル２において、一定時間内に再び敷地のセンサが反応した場合（Ｓ１００８）には、警戒モードはレベル２のままにする。すなわちライトは点灯を続け、監視カメラは録画を継続する。
【００６２】
警戒モードレベル０、レベル１、レベル２いずれの場合においてもリビングの人感センサ６１２または窓開閉センサ６１３が反応した場合（Ｓ１００５）には脅威が宅内にまでやってきていると判断し、即時に警戒モードから警告モード（１２００）へ状態を遷移する。警告モードになると、ホームサーバ６０はできうる限りの抵抗、威嚇を行う。すなわち、敷地のライトを点灯し、宅内全ての監視カメラの録画を開始する。また、リビングの照明を繰り返し点灯、照明させて侵入者を威嚇する。また、ユーザへ警告モードになった旨をＥ−ｍａｉｌで通知し、必要に応じて警察や警備会社への連絡を促すといった対応を行う。
【００６３】
警告モードにおいて、一定時間センサの反応がなかった場合（Ｓ１００９）状態は警戒モードレベル０に戻る。この際、ライトは消灯し、監視カメラの録画を停止する。また、ユーザに警戒モードレベル０に状態が戻ったことをＥ−ｍａｉｌで通知する。
【００６４】
玄関のドア開閉センサ６１４の反応については、ユーザが帰宅した場合と区別するため、警戒モードレベル０の状態でドア開閉センサ６１４が反応した場合はシステムで決めた一定時間状態を遷移しないようにする。一定時間内に外出警戒設定が解除されない場合は脅威が迫っていると考え警告モードに状態を遷移する。また、警戒モードレベル１またはレベル２においてドア開閉センサ６１４が反応した際は敷地を散策した侵入者が玄関から侵入した可能性があるため、即時に警告モードに状態を遷移する。
【００６５】
また、ユーザが外出警戒設定を行い、外出したあとで、忘れ物等に気がついてほんの少しの時間だけ再び宅内に戻ってくるという状況も想定される。このような場合も考え、警戒モードレベル０の状態でドア開閉センサ６１４が反応した際に、一定時間内に外出警戒設定が解除されなくともその後他のセンサが反応しない場合は状態を遷移しないようにする。
【００６６】
ユーザが帰宅し、操作端末５０から外出警戒設定を解除（Ｓ１００６、Ｓ１０１０）すると状態は通常モードに戻る。
【００６７】
また、ユーザが外出警戒設定をした直後はまだユーザが宅内にいるため、システムで決めた一定時間状態を通常モードから警戒モードレベル０へ遷移しないようにする。一定時間後、警戒モードレベル０が設定された際には、ユーザの携帯電話へＥ−ｍａｉｌでその旨を通知することで、きちんと外出警戒設定がされたことをユーザに教え安心感を与えることができる。
【００６８】
上記のように、ホームサーバ６０で宅内の機器を一括して管理、制御することで、機器単体でのセキュリティシステムでは実現できないきめ細かいセキュリティレベル制御を行うことができる。
【００６９】
図１８は、図７に示す各セキュリティレベルにおけるセキュリティレベル毎の動作テーブル２８００である。セキュリティレベル毎の動作テーブル２８００は、セキュリティレベル２８０１、機器種別２８０２、宅内／宅外種別２８０３、動作２８０４、前セキュリティレベル２８０５からなる。
【００７０】
セキュリティレベル２８０１は図７に示す各セキュリティレベルである。機器種別２８０２は動作を行う機器の種類であり、機器情報テーブル２０００における機器種別２００２と同様である。宅内／宅外種別２８０３はセキュリティレベルに応じた動作を行う機器が宅内にある機器か、宅外にある機器か、宅内外両方の機器かの種別を示す。動作２８０４は該当機器が行う動作である。前セキュリティレベル２８０５は現在のセキュリティレベルになる前にどのモードから遷移したかにより該当動作が制限される場合を示す。たとえば、同じ警戒モードレベル０であっても、警戒モードレベル２から戻った際は、危機が去ったためユーザへ警戒モードが変化したことを通知する。通常モードから遷移した場合は新規に外出警戒設定をしたためであるので警戒設定がされたことをメールで通知する。
【００７１】
ホームサーバ６５は、セキュリティレベルが変化した際、セキュリティレベル毎の動作テーブル２８００を参照し、どの機器に動作をさせるかを決定する。
【００７２】
図１９は、ホームサーバ６５が保持するセキュリティレベル記憶テーブル３３００である。セキュリティレベル３３０１はセキュリティレベル毎の動作テーブル２８００におけるセキュリティレベル２８０１と同様である。前セキュリティレベル３３０２はセキュリティレベル毎の動作テーブル２８００における前セキュリティレベル２８０５と同様である。セキュリティレベル記憶テーブルはワークメモリ上でホームサーバ６５のセキュリティレベル３３０１およびひとつ前の前セキュリティレベル３３０２を保持する。
【００７３】
図２０は、ユーザ宅１００内の設置場所定義テーブル２９００である。設置場所２９０１は機器情報テーブル２０００における設置場所２００３と同様である。宅内／宅外定義２９０２は、該当する設置場所が宅外であるか宅内であるかを定義する。設置場所定義テーブル２９００によって、機器情報テーブル２０００における設置場所２００３が宅内であるか、宅外であるかがわかる。
【００７４】
以上述べてきた、図２におけるネットワーク構成および図３におけるホームサーバ６０のハードウェア構成においては、宅内機器がホームサーバ６０の入出力Ｉ／Ｆ群６０８に対して直接専用線群６１５を介して接続している構成であった。このような構成の場合、ホームサーバ６０の入出力Ｉ／Ｆの数には限りがあり、また、ホームサーバ６０において、ハードウェアを直接制御することから宅内機器を追加、削除する場合や、ユーザ宅ごとにことなる機器構成とする場合には不便な点も多い。
【００７５】
また、ホームサーバ６０と宅内機器の間が有線での接続となるため、既設の住宅にあとから本実施例のホームサーバおよびシステムを適用しうるセキュリティシステムを適用するためには困難が多い。
【００７６】
現在市販されているセンサ機器や照明機器などの住設、家電機器の中には、ＩＰネットワーク等に接続可能で、無線ＬＡＮやＢｌｕｅｔｏｏｔｈの無線通信に対応した機器が存在し、そのような機器を用いれば機器の追加、削除、無線通信などを実現しやすくなるが、従来ユーザが所持していた機器が使えなくなるのはユーザにとって不便なことである。
【００７７】
このような状況を改善するために、従来の入出力Ｉ／Ｆおよび専用線による接続機器を無線ＩＰネットワークに接続するための小型の機器アダプタを宅内機器に取り付ける方法が提案されている。
【００７８】
図４は実施例のホームサーバおよびシステムを適用しうるセキュリティシステムにおいて、宅内機器を無線ＩＰネットワークへ接続可能とする機器アダプタを接続した場合のネットワーク構成図である。
【００７９】
サービスセンタ１０、インターネット２０、ルータ３０、宅内ネットワーク４０、操作端末５０、携帯電話７０は図２における構成と同一である。
【００８０】
ホームサーバ６５はネットワークへの接続方法は図２における構成と同一である。
【００８１】
アクセスポイント９０は、宅内ネットワーク４０と機器アダプタ群８０とを接続し、宅内ネットワーク４０に接続された機器と機器アダプタ群８０との間で情報のやり取りを可能とする無線ＩＰネットワーク接続のためのアクセスポイントであり、機器アダプタ群８０の構成に合わせて、無線ＬＡＮアクセスポイントやＢｌｕｅｔｏｏｔｈアクセスポイントなどで実現できる。
【００８２】
機器アダプタ群８０は、アクセスポイント９０を介して宅内ネットワーク４０と無線接続し、照明、センサ等の機器とは入出力Ｉ／Ｆを介して専用線で接続されている。宅内ネットワーク４０に接続された機器からＩＰネットワークを介して送受信する情報と照明、センサ等の機器と専用線を介して送受信する情報のプロトコルの変換等を担う。機器アダプタ群８０の詳細なハードウェア構成等については後述する。
【００８３】
照明６０９、センサ、ライト付監視カメラ６１０および６１１、人感センサ６１２、窓開閉センサ６１３、ドア開閉センサ６１４は図３における機器と同一であるが、機器アダプタ群８０を介してＩＰネットワークに接続することで宅内ネットワーク４０に接続した機器と情報のやり取りを行うことが可能である。
【００８４】
図５は、実施例のホームサーバおよびシステムを適用しうるセキュリティシステムにおける図４のネットワーク構成における、ホームサーバ６５のハードウェア構成を示す図である。
【００８５】
図５において、ＥＰＲＯＭ６０１、ＣＰＵ６０２、メインメモリ６０３、バス６０４、周辺制御装置６０５、不揮発性記憶装置６０６、ＬＡＮＩ／Ｆ６０７は図３におけるホームサーバ６０の構成に見られるものと同一である。
【００８６】
ただし、ホームサーバ６５は機器アダプタ群８０を介してＩＰネットワーク経由で接続するため、ホームサーバ６０に見られる入出力Ｉ／Ｆ群６０８を省いている。
【００８７】
図６は、図４の機器アダプタ群８０に示す機器アダプタのハードウェア構成図である。ＥＰＲＯＭ８０１、ＣＰＵ８０２、メインメモリ８０３、バス８０４、周辺制御装置８０５、入出力Ｉ／Ｆ８０６は図２のホームサーバにおけるＥＰＲＯＭ６０１、ＣＰＵ６０２、メインメモリ６０３、バス６０４、周辺制御装置６０５、入出力Ｉ／Ｆ群６０８に示される入出力Ｉ／Ｆと働きは同一である。無線ネットワークＩ／Ｆ８０７は無線ＬＡＮＩ／ＦやＢｌｕｅｔｏｏｔｈＩ／Ｆにより実現可能であり、図４におけるアクセスポイント９０と接続して宅内ネットワーク４０に接続可能である。
【００８８】
図４のネットワーク構成において、ホームサーバ６５が宅内機器（照明６０９、センサ、ライト付監視カメラ６１０および６１１、人感センサ６１２、窓開閉センサ６１３、ドア開閉センサ６１４）を管理、制御するためにホームサーバ６５が所持する必要がある機器情報を図１５の機器情報テーブル２７００に示す。
【００８９】
機器情報テーブル２７００は、機器ＩＤ２７０１、機器種別２７０２、設置場所２７０３、ＩＰアドレス２７０４、MACアドレス２７０７、機器固有情報テーブル情報２７０６からなる。
【００９０】
機器ＩＤ２７０１、機器種別２７０２、設置場所２７０３、機器固有情報テーブル情報２７０６は図８における機器ＩＤ２００１、機器種別２００２、設置場所２００３、機器固有情報テーブル２００５と同一である。
【００９１】
ＩＰアドレス２７０４は各機器が接続している機器アダプタ群８０に対応する機器アダプタに割り当てられたＩＰアドレスである。MACアドレス２７０７は機器アダプタ群８０に対応する機器アダプタに割り当てられたMACアドレスである。ホームサーバ６５から各機器を制御する場合にホームサーバ６５は該当ＩＰアドレスの、どのポートに、どのようなプロトコルで、どこのパスに、どのような情報を送るかを知っている必要があるが、それらの情報は機器アダプタ群８０に対応する機器アダプタ上で動作するソフトウェアに依存する。本実施例では、ホームサーバ６５は機器情報テーブル２７００における機器種別２７０２からＩＰアドレスさえわかれば上記ポート、プロトコル、パス、送るべき情報についてあらかじめわかっているものとする。
【００９２】
次に、機器アダプタ群８０を用いて宅内機器をＩＰネットワークに接続した場合のセンサ機器の検知をホームサーバ６５が受信するまでの手順について述べる。図２におけるネットワーク構成におけるホームサーバ６０においては、センサ機器の検知は無電圧接点入力等を用いてホームサーバ６０が直接検知できたが、宅内機器をＩＰネットワークに接続した場合はセンサ機器の検知を機器アダプタ群８０に対応する機器アダプタは直接検知できるが機器アダプタはホームサーバ６５のＩＰアドレスを知らなければ、どこに検知した情報を送信したらよいかわからない。
【００９３】
図２１は、機器アダプタ群８０に対応する各アダプタが保持するセンサ通知先情報テーブル２７１０である。センサ通知先情報テーブルはホームサーバアドレス２７１１およびセンサ待ち受けポート２７０５からなる。ホームサーバアドレス２７１１およびセンサ待ち受けポート２７０５の値は、あらかじめ設定しておくか、または次のようにして、各機器アダプタに登録する。
【００９４】
図１６はホームサーバ６５が、宅内のあるセンサ機器が接続した機器アダプタに対しホームサーバ６５のＩＰアドレスとセンサ検知情報を送信して欲しいポート番号を通知する手順を示すフローチャートである。
【００９５】
図１６において、まず、ホームサーバ６５は機器情報テーブル２７００を参照してセンサ機能を有する機器を確認し、センサ機能を有する機器が接続する機器アダプタに対してセンサ待ちうけポートを通知２７０５する（Ｓ２００１）。次に、該当機器アダプタは、接続してきたホームサーバ６５のＩＰアドレスおよび通知してきたセンサ待ちうけポートをセンサ通知先情報テーブルに格納する（Ｓ２００２）。
【００９６】
図１７は、あるセンサが反応を検知してから、ホームサーバ６５がどのセンサが検知したのかを確認するまでを示すフローチャートである。
【００９７】
図１７において、まず、あるセンサが反応を検知し（Ｓ２１０１）、無電圧接点入力等を介してセンサに接続する機器アダプタがセンサが検知した信号を検知する（Ｓ２１０２）。  
次に、該当機器アダプタがセンサ通知先情報テーブル２７１０からホームサーバ６５のＩＰアドレスおよびセンサ待ち受けポートを読み出す（Ｓ２１０３）。
【００９８】
次に、該当機器アダプタが、Ｓ２１０３で読み出したＩＰアドレスおよびポートに対し、センサが検知した旨を通知し（Ｓ２１０４）、ホームサーバ６５がセンサ待ちうけポートに通知されたセンサ検知情報を検知する（Ｓ２１０５）。
【００９９】
最後に、ホームサーバ６５はＳ２１０５の手順にて検知した情報の送信元ＩＰアドレスと機器情報テーブル２７００に記載のＩＰアドレス２７０４とを比較し、宅内のどのセンサが検知したのかを確認する（Ｓ２１０６）。
【０１００】
図１６および図１７に示した手順によって、ホームサーバ６５は機器アダプタに接続した宅内のセンサ機器の反応を検知可能となる。
【０１０１】
また、機器アダプタ群８０に接続された各センサの反応をホームサーバ６５で検知するためには、ホームサーバのＩＰアドレス、ポートを直接指定する代わりに、マルチキャストアドレスを使うことも可能である。
【０１０２】
図２２はホームサーバ６５および機器アダプタ群８０の各機器アダプタが保持する、マルチキャスト情報テーブル３２００である。マルチキャスト情報テーブルはマルチキャストアドレス３２０１およびマルチキャストポート３２０２からなる。
【０１０３】
図２３は、あるセンサが反応を検知してから、ホームサーバ６５がどのセンサが検知したのかを確認するまでを示すフローチャートである。
【０１０４】
図２３において、まず、あるセンサが反応を検知する（Ｓ２２０１）、無電圧接点入力等を介してセンサに接続する機器アダプタがセンサが検知した信号を検知する（Ｓ２２０２）。
【０１０５】
次に、該当機器アダプタがマルチキャスト情報テーブル３２００を参照し、マルチキャストアドレスおよびマルチキャストポートを読み出し（Ｓ２２０３）、該当機器アダプタが、Ｓ２２０３で読み出したＩＰアドレスおよびポートに対し、センサが検知した旨を通知する（Ｓ２２０４）。
【０１０６】
次に、ホームサーバ６５が該当マルチキャストアドレスおよびマルチキャストポートに通知されたセンサ検知情報を検知する（Ｓ２２０５）。
【０１０７】
最後に、ホームサーバ６５はＳ２２０５の手順にて検知した情報の送信元ＩＰアドレスと機器情報テーブル２７００に記載のＩＰアドレス２７０４とを比較し、宅内のどのセンサが検知したのかを確認する（Ｓ２１０６）。
【０１０８】
マルチキャストアドレスはユーザ宅１００内のアドレス体系等に依存しないため、ホームサーバ６５や機器アダプタの出荷時にあらかじめ設定しておくために都合がよい。
【０１０９】
以上の手順によって、ホームサーバ６５は機器アダプタを介して宅内ネットワーク４０に接続された機器を管理及び制御可能となり、図７の、実施例のセキュリティシステムを実現する外出警戒アプリケーションの状態遷移図に示すセキュリティレベル制御が可能となる。
【０１１０】
図４のネットワーク構成によって実施例のセキュリティシステムを構築することにより、新規に機器を追加する際にはホームサーバ６５の保持する機器情報テーブル２７００を更新し、該当セキュリティシステムの外出警戒設定などを行うソフトウェアを更新すれば可能となる。また、従来のセキュリティ機器を機器アダプタを用いて無線ネットワークに接続することで、新たに機器を設置する際に配線等にかかる手間を低減することができユーザに利便性の高いセキュリティシステムを構築できる。
【０１１１】
本実施例に記述した宅内機器（照明６０９、センサ、ライト付監視カメラ６１０および６１１、人感センサ６１２、窓開閉センサ６１３、ドア開閉センサ６１４）はあくまでも一例である。なんらかの手段で外部の機器に情報を送信したり、外部から制御を受け付けたりすることができる機器であれば本実施例のセキュリティシステムの構成要素となりうる。例えば、音声合成報知器や催涙ガス噴射機のような機器を設置することで侵入者に対して上記で述べたライトによる威嚇に加えて音声による威嚇や催涙ガスによる侵入者への攻撃が可能となる。
【０１１２】
本実施例に記述した図７に示すセキュリティレベル制御は一例である。例えば、さらに細かく警戒モードレベルを制御してもよく、敷地を塀際と住戸の近くで分けて、センサが反応した機器の住戸からの距離に応じてセキュリティレベルを遷移させることも可能である。
【０１１３】
また、例えば、敷地のセンサが一度反応してから次に反応するまでの時間が短い時により高い警戒モードレベルを設定することも可能である。
【０１１４】
また、例えば、敷地の監視カメラが記録した映像を解析して人間の視線を抽出し、カメラの方向を頻繁にもしくは長い時間見ている場合にはユーザ宅のセキュリティシステムを細かく調査している可能性が高く、危険性が高いと考えてより高い警戒モードレベルを設定することも可能である。
【０１１５】
本実施例に記述した図７に示すセキュリティレベル制御において、警戒モードレベルが遷移した記録をホームサーバ６０またはホームサーバ６５の不揮発性記憶領域に保持しておき、ユーザがあとから閲覧できるようにすることも可能である。警戒モードレベルの遷移した記録を閲覧可能とすることで、例えば、毎日同じ時間に警戒モードレベルが遷移していた場合にその時間を特に用心することでよりユーザに安心感を与えることが可能である。
【０１１６】
本実施例に記載のホームサーバ６０およびホームサーバ６５は、必ずしも実施例のセキュリティシステムを構成する専用の機器である必要はない。例えば、テレビやハードディスクレコーダのようなＡＶ機器に機能追加した構成や、ユーザの所持するＰＣに自由にインストール可能なソフトウェアとして配布することも可能である。
【０１１７】
本実施例に記述した図7に示すセキュリティレベル制御について警戒モードレベル２に遷移した際や警告モードに遷移した際、また警戒モードレベル２や警告モードから警戒モードレベル０に遷移した際にユーザが登録した携帯電話のＥ−ｍａｉｌアドレスにセキュリティレベルが遷移した旨の通知について述べたが、通知には文章だけでなく、監視カメラが録画した映像から切り出した画像等を添付して送信する構成とすることも可能である。
【０１１８】
これまで、本実施形態ではセンサ等の各機器がホームサーバに対して情報を送信し、ホームサーバがその情報をもとにセキュリティレベルを制御し、また各機器を制御するように述べてきたが、本実施形態のセキュリティシステムは、各機器もしくは図４の構成における各機器アダプタがそれぞれ機器情報およびセキュリティレベル情報およびセキュリティレベル毎の動作情報を保持するという構成も可能である。
【０１１９】
図２４は本実施形態のセキュリティシステムにおいて、各機器に対応する機器アダプタがそれぞれ機器情報およびセキュリティレベル情報およびセキュリティレベル毎の動作情報を保持している場合のネットワーク構成例である。
【０１２０】
サービスセンタ１０、インターネット２０、ルータ３０、宅内ネットワーク４０、操作端末５０、携帯電話７０、アクセスポイント９０、照明６０９、センサ、ライト付監視カメラ６１０、センサライト付監視カメラ６１１、人感センサ６１２、窓開閉センサ６１３、ドア開閉センサ６１４は図４における構成と同一である。
【０１２１】
機器アダプタ群３０８０は図４における機器アダプタ群８０に相当するが、前述のように機器情報、セキュリティレベル情報、セキュリティレベル毎の動作情報を保持している。
【０１２２】
メール送信サーバ３０６５は図４におけるホームサーバ６５にあたる機器であるが、ホームサーバのように全ての機器の情報を一括で管理するわけではないため、役割が異なる。
【０１２３】
図２５は、図２４の構成における機器アダプタ群に示される機器アダプタ３０８０のハードウェア構成図である。
【０１２４】
図２４の構成において、ＥＰＲＯＭ８０１、ＣＰＵ８０２、メインメモリ８０３、バス８０４、周辺制御装置８０５、入出力Ｉ／Ｆ８０６、無線ネットワークＩ／Ｆ８０７は図５における構成と同様である。不揮発性記憶装置８０８は不揮発な記憶領域であり、ジキディスク、フラッシュＲＯＭ等によって実現できる。不揮発性記憶装置８０８には各種プログラムおよび不揮発に記憶され、適宜更新される可能性のある情報が格納される。
【０１２５】
ここで、機器アダプタ３０８０は機器情報テーブル２７００、機器個別情報テーブル２１００、２２００、２３００、２４００、２５００、セキュリティレベル毎の動作テーブル２８００、セキュリティレベル記憶テーブル３３００、設置場所定義テーブル２９００、マルチキャスト情報テーブル３２００をそれぞれ保持しているものとする。
【０１２６】
外出警戒設定等の操作は操作端末５０から行う。この際、外出警戒設定は全ての機器アダプタに対して行われる必要がある。
【０１２７】
図２６は、本実施形態において、各機器アダプタが機器情報、セキュリティレベル情報、セキュリティレベル毎の動作情報を保持する場合に、あるセンサが反応を検知してから、各機器アダプタがどのセンサが検知したかを確認するまでの動作を示すフローチャートである。
【０１２８】
図２６において、まず、あるセンサが反応を検知する（Ｓ２３０１）、次に、無電圧接点入力等を介してセンサに接続する機器アダプタがセンサが検知した信号を検知する（Ｓ２３０２）、次に、該当機器アダプタがマルチキャスト情報テーブル３２００を参照し、マルチキャストアドレスおよびマルチキャストポートを読み出す（Ｓ２３０３）、次に、該当機器アダプタが、Ｓ２３０３で読み出したＩＰアドレスおよびポートに対し、センサが検知した旨を通知する（Ｓ２３０４）、次に、機器アダプタ群３０８０の各機器アダプタが該当マルチキャストアドレスおよびマルチキャストポートに通知されたセンサ検知情報を検知する（Ｓ２２０５）、最後に、機器アダプタ群３０８０の各機器アダプタはＳ２２０５の手順にて検知した情報の送信元ＩＰアドレスと機器情報テーブル２７００に記載のＩＰアドレス２７０４とを比較し、宅内のどのセンサが検知したのかを確認する（Ｓ２２０６）。
【０１２９】
以上のようにして、各機器アダプタがセンサ検知情報を取得可能である。各機器アダプタは、取得したセンサ検知情報および機器情報テーブル２７００およびセキュリティレベル毎の動作テーブル２８００およびセキュリティレベル記憶テーブル３３００および設置場所定義テーブル２９００からセキュリティレベルを決定し、また、自機器が動作する必要があるかどうかを判断することが可能となる。そして、必要であれば自機器に所定の動作を行わせる。
【０１３０】
このようにして、ホームサーバで情報を一括管理、制御しなくとも本実施形態のセキュリティシステムは構築可能である。
【図面の簡単な説明】
【０１３１】
【図１】本実施形態のユーザ宅および機器の設置場所を示した図である。
【図２】本実施形態のネットワーク構成図である。
【図３】本実施形態のホームサーバのハードウェア構成図である。
【図４】本実施形態のネットワーク構成図である。
【図５】本実施形態のホームサーバのハードウェア構成図である。
【図６】本実施形態の機器アダプタのハードウェア構成図である。
【図７】本実施形態のセキュリティシステムの状態遷移図である。
【図８】本実施形態の機器情報テーブルである。
【図９】本実施形態の機器個別情報テーブルである。
【図１０】本実施形態の機器個別情報テーブルである。
【図１１】本実施形態の機器個別情報テーブルである。
【図１２】本実施形態の機器個別情報テーブルである。
【図１３】本実施形態の機器個別情報テーブルである。
【図１４】本実施形態の登録携帯電話アドレステーブルである。
【図１５】本実施形態の機器情報テーブルである。
【図１６】本実施形態のＩＰアドレスおよびポート通知のフローチャートである。
【図１７】本実施形態のセンサ検知通知のフローチャートである。
【図１８】本実施形態のセキュリティ毎の動作テーブルである。
【図１９】本実施形態のセキュリティレベル記憶テーブルである。
【図２０】本実施形態の設置場所定義テーブルである。
【図２１】本実施形態のセンサ通知先情報テーブルである。
【図２２】本実施形態のマルチキャスト情報テーブルである。
【図２３】本実施形態のセンサ検知通知のフローチャートである。
【図２４】本実施形態のネットワーク構成図である。
【図２５】本実施形態の機器アダプタのハードウェア構成図である。
【図２６】本実施形態のセンサ検知通知のフローチャートである。
【符号の説明】
【０１３２】
１０・・・サービスセンタ、２０・・・インターネット、３０・・・ルータ、４０・・・宅内ネットワーク、５０・・・操作端末、６０・・・ホームサーバ、６５・・・ホームサーバ、７０・・・携帯電話、８０・・・機器アダプタ群、９０・・・アクセスポイント、１００・・・ユーザ宅、１０１・・・住戸、１０２・・・敷地、１０３・・・門扉、１０４・・・玄関、１０５・・・ドア、１０６・・・リビング、１０７・・・窓、６０１・・・ＥＰＲＯＭ、６０２・・・ＣＰＵ、６０３・・・メインメモリ、６０４・・・バス、６０５・・・周辺制御装置、６０６・・・不揮発性記憶装置、６０７・・・ＬＡＮＩ／Ｆ、６０８・・・入出力Ｉ／Ｆ群、６０９・・・照明、６１０・・・センサ、ライト付監視カメラ、６１１・・・センサ、ライト付監視カメラ、６１２・・・人感センサ、６１３・・・窓開閉センサ、６１４・・・ドア開閉センサ、６１５・・・専用線群、８０１・・・ＥＰＲＯＭ、８０２・・・ＣＰＵ、８０３・・・メインメモリ、８０４・・・バス、８０５・・・周辺制御装置、８０６・・・入出力Ｉ／Ｆ、８０７・・・無線ネットワークＩ／Ｆ、８０８・・・不揮発性記憶領域、１０００・・・通常モード、１１００・・・警戒モード、１１０１・・・警戒モードレベル０、１１０２・・・警戒モードレベル１、１１０３・・・警戒モードレベル２、１２００・・・警告モード、２０００・・・機器情報テーブル、２００１・・・機器ＩＤ、２００２・・・機器種別、２００３・・・設置場所、２００４・・・接続Ｉ／Ｆ、２００５・・・機器個別情報テーブル情報、２１００・・・機器個別情報テーブル（照明）、２１０１・・・接続状態、２１０２・・・スイッチ状態、２２００・・・機器個別情報テーブル（センサ、ライト付監視カメラ）、２２０１・・・接続状態、２２０２・・・ライトスイッチ状態、２２０３・・・カメラ状態、２２０４・・・最終センサ反応日時、２３００・・・機器個別情報テーブル（人感センサ）、２３０１・・・最終センサ反応日時、２４００・・・機器個別情報テーブル（窓開閉センサ）、２４０１・・・最終センサ反応日時、２５００・・・機器個別情報テーブル（ドア開閉センサ）、２５０１・・・最終センサ反応日時、２６００・・・登録携帯電話アドレステーブル、２６０１・・・ホームサーバＩＤ、２６０２・・・Ｅ−ｍａｉｌアドレス、２７００・・・機器情報テーブル、２７０１・・・機器ＩＤ、２７０２・・・機器種別、２７０３・・・設置場所、２７０４・・・ＩＰアドレス、２７０５・・・センサ待ち受けポート、２７０６・・・個別情報テーブル情報、２７０７・・・ＭＡＣアドレス、２７１０・・・センサ通知先情報テーブル、２７１１・・・ホームサーバアドレス、２８００・・・セキュリティレベル毎の動作テーブル、２８０１・・・セキュリティレベル、２８０２・・・機器種別、２８０３・・・宅内／宅外種別、２８０４・・・動作、２８０５・・・前セキュリティレベル、２９００・・・設置場所定義テーブル、２９０１・・・設置場所、２９０２・・・宅内／宅外定義、３０８０・・・機器アダプタ群、３２００・・・マルチキャスト情報テーブル、３２０１・・・マルチキャストアドレス、３２０２・・・マルチキャストポート
【図１】
2007133625.tif 000003
【図２】
2007133625.tif 000004
【図３】
2007133625.tif 000005
【図４】
2007133625.tif 000006
【図５】
2007133625.tif 000007
【図６】
2007133625.tif 000008
【図７】
2007133625.tif 000009
【図８】
2007133625.tif 000010
【図９】
2007133625.tif 000011
【図１０】
2007133625.tif 000012
【図１１】
2007133625.tif 000013
【図１２】
2007133625.tif 000014
【図１３】
2007133625.tif 000015
【図１４】
2007133625.tif 000016
【図１５】
2007133625.tif 000017
【図１６】
2007133625.tif 000018
【図１７】
2007133625.tif 000019
【図１８】
2007133625.tif 000020
【図１９】
2007133625.tif 000021
【図２０】
2007133625.tif 000022
【図２１】
2007133625.tif 000023
【図２２】
2007133625.tif 000024
【図２３】
2007133625.tif 000025
【図２４】
2007133625.tif 000026
【図２５】
2007133625.tif 000027
【図２６】
2007133625.tif 000028